(57)【要約】【課題】  調理の際に煙や水蒸気を発生する加熱調理機器を、グリルを備えないコンロの下方に配置しキャビネットに組込んでシステム化を可能にし、また、この加熱調理機器で発生した煙や水蒸気が、厨房家具の前方で調理などを行うユーザーに直接当たることのない、快適な厨房家具を提供する。【解決手段】  システムキッチン１は、グリルを備えないコンロ１０と、コンロの下方に位置するオーブンレンジ１１とをキャビネット３に組込んでいる。調理の際にオーブンレンジで発生する煙や水蒸気Ｂを外部に排出するための排出手段２０は、コンロの天板２１に形成されてシステムキッチンの前面２９から離れた位置に配置された排気口２２と、排気口とオーブンレンジ１１を連通させる排気路２３とを備えている。【選択図】    図２
2007020697.tif 000002
【特許請求の範囲】
【請求項１】
グリルを備えないコンロと、このコンロの下方に位置する少なくとも一つの加熱調理機器とをキャビネットに組込み、
調理の際に前記加熱調理機器で発生する煙や水蒸気を排出手段で外部に排出する厨房家具であって、
前記排出手段は、前記コンロの天板または前記キャビネットの天板に形成されて前記厨房家具の前面から離れた位置に配置された排気口と、この排気口と前記加熱調理機器を連通させる排気路とを備えたことを特徴とする厨房家具。
【請求項２】
請求項１に記載の厨房家具であって、
前記コンロの下方には、異種または同種の複数の前記加熱調理機器が組込まれ、この各加熱調理機器と前記排気口は前記排気路を介して連通し、
前記各加熱調理機器は前記キャビネットに対して取外し，取付け可能であることを特徴とする厨房家具。
【請求項３】
請求項１または２に記載の厨房家具であって、
前記排出手段は、前記排気口を開閉可能に覆う排気口カバーと、この排気口カバーを上下に移動させて前記排気口を開閉するための排気口カバー移動手段とをさらに備えたことを特徴とする厨房家具。
【請求項４】
請求項１，２または３に記載の厨房家具であって、前記コンロは、ガスコンロ、またはＩＨクッキングヒーター，ラジエントヒーターもしくはシーズヒーターを用いたコンロであることを特徴とする厨房家具。
【発明の詳細な説明】
【技術分野】
【０００１】
本発明は、台所に設置されるシステムキッチンなど厨房家具にかかり、特に、グリル（ロースター）を備えないコンロがキャビネットに組込まれた厨房家具に関する。
【背景技術】
【０００２】
グリル付きコンロは、加熱調理機器の一つで家庭を中心にして広く実用に供されており、単体で使用される場合のほか、システムキッチンなど厨房家具に組込まれて使用される場合も多い。
特許文献１（特開平９−９４１２２号公報）には、グリル付きコンロが組込まれた厨房構造にかかる技術が記載されている。この厨房構造では、コンロの天板に排気のための排気口が設けられ、グリル庫内にて調理する際に発生する煙や水蒸気などを、グリル内部の排気路を通して排気口から外部に排出する構造になっている。
【特許文献１】特開平９−９４１２２号公報
【発明の開示】
【発明が解決しようとする課題】
【０００３】
特許文献１に記載の厨房構造におけるコンロは、コンロにグリルが取付けられて両者が一体化した構成である。このようなグリル付きコンロは、コンロよりグリルの方が早く寿命が来たり汚れたりする傾向がある。このような場合に、コンロがまだ十分使用可能でもコンロとグリルの両方を取替えなければならず、不経済で資源の無駄が生じていた。
【０００４】
従来は、調理の際に煙や水蒸気を発生する加熱調理機器（たとえば、オーブンレンジ）を、グリルを備えないコンロの下方に配置して、システムキッチンなど厨房家具のキャビネットに組込むことはできなかった。これは、グリルを備えないコンロの天板には排気のための排気口がなく、また、排気口と加熱調理機器とを連通させる排気路も設けられていないからである。
もし仮に、グリルを備えないコンロと、その下方に配置されるオーブンレンジとをキャビネットに組込めば、オーブンレンジで調理の際に発生する煙や水蒸気が、オーブンレンジの前面から吹き出すことになる。その結果、グリル付きコンロの天板面から排気ができるグリル付きコンロの場合と違って、煙や水蒸気がユーザーに直接当たって、ユーザーが不快に感じることが予想される。
特に、オーブンレンジがガスを熱源とする場合には、電気オーブンレンジの場合より排気量と廃熱量が多くなるので、電気オーブンレンジより強い熱気がユーザーに直接当たることが予想される。そのため、グリルを備えないコンロと、ガスを熱源とするオーブンレンジとを組合せたコンロ調理は、実用には適さないと考えられていた。
【０００５】
本発明は、このような課題を解決するためになされたもので、調理の際に煙や水蒸気を発生する加熱調理機器を、グリルを備えないコンロの下方に配置しキャビネットに組込んでシステム化を可能にし、また、この加熱調理機器で発生した煙や水蒸気が、厨房家具の前方で調理などを行うユーザーに直接当たることのない、快適な厨房家具を提供することを目的とする。
【課題を解決するための手段】
【０００６】
上述の目的を達成するため、本発明にかかる厨房家具は、グリルを備えないコンロと、このコンロの下方に位置する少なくとも一つの加熱調理機器とをキャビネットに組込み、調理の際に前記加熱調理機器で発生する煙や水蒸気を排出手段で外部に排出する厨房家具であって、前記排出手段は、前記コンロの天板または前記キャビネットの天板に形成されて前記厨房家具の前面から離れた位置に配置された排気口と、この排気口と前記加熱調理機器を連通させる排気路とを備えている。
前記コンロの下方には、異種または同種の複数の前記加熱調理機器が組込まれ、この各加熱調理機器と前記排気口は前記排気路を介して連通し、前記各加熱調理機器は前記キャビネットに対して取外し，取付け可能であるのが好ましい。
前記厨房家具における前記排出手段は、前記排気口を開閉可能に覆う排気口カバーと、この排気口カバーを上下に移動させて前記排気口を開閉するための排気口カバー移動手段とをさらに備えているのが好ましい。
たとえば、前記コンロは、ガスコンロ、またはＩＨクッキングヒーター，ラジエントヒーターもしくはシーズヒーターを用いたコンロである。
【発明の効果】
【０００７】
本発明の厨房家具は、上述のように構成したので、調理の際に煙や水蒸気を発生する加熱調理機器を、グリルを備えないコンロの下方に配置しキャビネットに組込んでシステム化が可能になり、また、この加熱調理機器で発生した煙や水蒸気が、厨房家具の前方で調理などを行うユーザーに直接当たることがなく、ユーザーにとって快適である。
【発明を実施するための最良の形態】
【０００８】
下記の実施例および変形例における厨房家具は、グリルを備えないコンロと、このコンロの下方に位置する少なくとも一つの加熱調理機器とをキャビネットに組込み、調理の際に加熱調理機器で発生する煙や水蒸気を排出手段で外部に排出するようになっている。この排出手段は、コンロの天板またはキャビネットの天板に形成されて厨房家具の前面から離れた位置に配置された排気口と、この排気口と加熱調理機器を連通させる排気路とを備えている。
これにより、調理の際に煙や水蒸気を発生する加熱調理機器を、グリルを備えないコンロの下方に配置しキャビネットに組込んでシステム化を可能にし、また、加熱調理機器で発生した煙や水蒸気がユーザーに直接当たらないようにしてユーザーにとって快適な厨房家具にするという目的を実現している。
【０００９】
本発明における厨房家具としては、台所に設置される複合厨房家具の一種であるシステムキッチンが通常の場合であるが、グリルを備えないコンロと加熱調理機器のみがキャビネットに組込まれたキッチンであってもよい。
【実施例】
【００１０】
以下、本発明にかかる実施例および変形例を図１ないし図８を参照して説明する。
図１ないし図３は本発明の一実施例を示す図で、図１はシステムキッチンを含む斜視図、図２は図１の側面断面図、図３は、前記システムキッチンの一部を示す側面断面図である。
なお、説明の便宜上、図中の符号Ｄ1，Ｄ2，Ｄ3，Ｄ4で示す各方向を、それぞれシステムキッチンの左方，右方，前方，後方として説明する。
【００１１】
図１ないし図３に示すように、厨房家具としてのシステムキッチン１は台所２に設置されており、このシステムキッチン１に本発明が適用されている。システムキッチン１は、床面上に設置されたキャビネット３を有している。キャビネット３には、各種形状，構造の複数の引き出し（たとえば、引き出し４，５，６）が、引き出し収納自在に設けられている。
キャビネット３は、コンロキャビネット７，調理台キャビネット８，シンクキャビネットなどが順次並設された構成を有しており、ワークトップ９が、キャビネット７，８などの上部を覆って取付けられている。
【００１２】
グリル（ロースター）を備えないコンロ１０と、コンロ１０の下方に位置する少なくとも一つ（ここでは、一つ）の加熱調理機器としてのオーブンレンジ１１とが、キャビネット３を構成するコンロキャビネット７に組込まれている。
コンロ１０は、たとえば、ガスコンロ、またはＩＨ（電磁誘導加熱）クッキングヒーター，ラジエントヒーターもしくはシーズヒーターを用いたコンロであり、また、グリルを備えないので薄型の構造をなしている。
オーブンレンジ１１は、コンロ１０とは分離した別の機器で、コンロキャビネット７に組込まれており、電気オーブンレンジでもガスオーブンレンジでもよい。また、加熱調理機器の一例としてオーブンレンジ１１の場合を示したが、その他の加熱調理機器としては、スチームオーブン，トースター，炊飯器，フィッシュロースター，電子レンジ，食器洗い乾燥機などがある。
【００１３】
調理台キャビネット８の上部のワークトップ９は、調理台になっている。シンクキャビネットの上部のワークトップ９には、水栓装置やシンクが設けられている。なお、キャビネット３には、食器洗い乾燥機などが取付けられる場合もある。
コンロキャビネット７には、コンロ１０，オーブンレンジ１１，引き出し５などが設けられて、単体としての厨房家具が構成されている。これと同様に、調理台キャビネット８は引き出し４，６などを有し、シンクキャビネットは水栓装置，シンク，複数の引き出しなどを有している。これにより、システムキッチン１は、単体としての厨房家具が複合した複合厨房家具を構成している。
コンロキャビネット７の上方にはレンジフード１２が設置され、レンジフード１２の横には収納庫１３が設置されている。
【００１４】
コンロ１０とオーブンレンジ１１がキャビネット３に組込まれており、また、オーブンレンジ１１で調理する際に発生する煙や水蒸気Ｂ（符号Ｂには、煙，水蒸気，熱風などが含まれる）を、排出手段２０で外部（システムキッチン１の外部）に排出するようになっている。コンロ１０はグリルを備えないので、コンロ１０に関する外部への排気は不要である。
排出手段２０は、コンロ１０の天板２１（または、キャビネット３の天板２５）に形成されてシステムキッチン１の前面２９から離れた位置（ここでは、システムキッチン１の後部上面）に配置された排気口２２と、排気口２２とオーブンレンジ１１を連通させる排気路２３とを備えている。なお、排気口２２は、システムキッチン１の前面２９から離れた位置に配置されていればよいので、システムキッチン１の側部上面などに配置されていてもよい。
【００１５】
これにより、調理の際に煙や水蒸気Ｂを発生するオーブンレンジ１１を、グリルを備えないコンロ１０の下方に配置してキャビネット３に組込むことができるので、コンロキャビネット７に組み込み可能な機器に関して、システム性が発揮される。
また、オーブンレンジ１１で発生した煙や水蒸気Ｂが、システムキッチン１の前面２９から離れた位置にある排気口２２から排出される。したがって、オーブンレンジ１１の煙や水蒸気Ｂが、システムキッチン１の前方に立って調理などを行うユーザーに直接当たることはなく、ユーザーにとって快適である。
【００１６】
排気口２２は、コンロ１０の天板２１に一つまたは複数（ここでは、二つ）形成され、上方に開口している。排気口２２には、異物（たとえば、野菜など被調理物のかけらやゴミ）が入るのを防止するために、排気口カバー２４が取付けられている。
この実施例では、排気口カバー２４が上下に移動しない場合を示している。排気口カバー２４は排気口２２に着脱可能に取付けられているので、排気口カバー２４を取外して排気口２２，排気路２３などを清掃できる。
排気口カバー２４には、煙や水蒸気Ｂが通過可能なように、多数の孔が格子状またはその他の所定形状に貫通形成されており、排気口カバー２４は、異物が排気口２２から排気路２３内に入るのを防止している。
【００１７】
排気路２３は、排気口２２の下方に位置して、キャビネット３の内部に設けられている。排気路２３は、オーブンレンジ１１の内部空間２６と排気口２２とを連通させている。したがって、調理の際に内部空間２６で発生した煙や水蒸気Ｂは、排気路２３を通って排気口２２に流れ、排気口カバー２４の多数の孔を通過して外部に排出される。
排気路２３は、コンロ１０と加熱調理機器１１の付属部品として構成されている。なお、排気口２２がキャビネット３の天板２５に形成されている場合には、排気路２３は、独立部品としてキャビネット３に取付けられる。
【００１８】
オーブンレンジ１１は、コンロ１０とは分離してコンロキャビネット７に組込まれている。したがって、オーブンレンジ１１がコンロ１０より先に寿命が来たり汚れがひどくなったりした場合には、コンロ１０はそのまま継続して使用し、オーブンレンジ１１のみを新品のものと交換することができる。
従来のグリル付きコンロと比較して、コンロ１０はグリルを備えない薄型なので、コンロ１０のすぐ下に組込まれるオーブンレンジ１１の高さ位置が、グリルの厚み分だけ（たとえば、約１０cm）高くなる。
その結果、ユーザーは、従来と比較して、それほど屈まなくてもオーブンレンジ１１を操作できることになり、使い勝手がよく身体の負担も少ない。オーブンレンジ１１の高さ位置が高くなるので、オーブンレンジ１１の下方に、従来は設けられていなかった引き出し５を設けることができる。この引き出し５は、床面２７のすぐ上に配置されており、また、内部の収納スペースを広くするために蹴込２８の奥も含んだ構成を有している。
こうして、コンロキャビネット７においても引き出し５を配置できるので、オーブンレンジ１１より下部の空間も収納スペースとして有効利用される。
【００１９】
排気口２２をコンロ１０の天板２１の上面後方側に配置したので、排気口２２から排出される煙や水蒸気Ｂは、排気口２２のほぼ真上に位置するレンジフード１２に容易に吸い込まれる。
従来の加熱調理機器は、単品の機器としてシステムキッチンのワークトップなどに置いて使用されていたが、本発明では、加熱調理機器１１をキャビネット３にビルトインで組込んでシステム化できるので、使い勝手がよくなり、台所も乱雑にならない。
【００２０】
図４は、本実施例の第１の変形例にかかるシステムキッチン１ａを含む斜視図で、図１相当図、図５は図４の側面断面図である。図６は、本実施例の第２の変形例にかかるシステムキッチン１ｂを含む斜視図で、図１相当図である。図７は、図６に示すシステムキッチン１ｂの一部を示す側面断面図で、図７（Ａ），（Ｂ）は、排気口カバー２４による閉状態，開状態をそれぞれ示している。図８は、本実施例の第３の変形例にかかるシステムキッチン１ｃの側面断面図である。    
なお、図４ないし図８に示す各変形例において上述の実施例と同一または相当部分には同一符号を付してその説明を省略し、異なる部分のみ説明する。
【００２１】
図４ないし図８に示す厨房家具としてのシステムキッチン１ａ，１ｂ，１ｃにおいて、グリルを備えないコンロ１０と、コンロ１０の下方に位置する少なくとも一つの加熱調理機器１１とが、キャビネット３に組込まれている。第１の変形例，第３の変形例では加熱調理機器１１が二つの場合をそれぞれ示し、第２の変形例では加熱調理機器１１が一つの場合を示している。
調理の際に加熱調理機器１１で発生する煙や水蒸気Ｂを外部（システムキッチン１ａ，１ｂ，１ｃの外部）に排出するための排出手段２０，２０ａは、コンロ１０の天板２１（または、キャビネット３の天板２５）に形成されてシステムキッチン１ａ，１ｂ，１ｃの前面２９から離れた位置に配置された排気口２２と、排気口２２と加熱調理機器１１を連通させる排気路２３とを備えている。
【００２２】
したがって、第１の変形例ないし第３の変形例にかかるシステムキッチン１ａ，１ｂ，１ｃにおいても、調理の際に煙や水蒸気Ｂを発生する加熱調理機器１１を、グリルを備えないコンロ１０の下方に配置しキャビネット３に組込んでシステム化が可能になる。
加熱調理機器１１で発生した煙や水蒸気Ｂは、排気路２３を通り、コンロ１０の天板２１（または、キャビネット３の天板２５）に形成されて後部に位置する排気口２２から排出される。したがって、システムキッチン１，１ａ，１ｂの前方で調理などを行うユーザーに煙や水蒸気Ｂが直接当たることはないので、ユーザーにとって快適である。
コンロ１０は、たとえば、ガスコンロ、またはＩＨクッキングヒーター，ラジエントヒーターもしくはシーズヒーターを用いたコンロであり、また、グリルを備えないので薄型の構造をなしている点は、前記実施例と同様である。
【００２３】
図４，図５に示す第１の変形例にかかるシステムキッチン１ａにおいて、コンロ１０の下方には、異種または同種の複数（ここでは、二つ）の加熱調理機器１１が組込まれている。そして、各加熱調理機器１１と排気口２２が、排気路２３を介して連通している。
また、各加熱調理機器１１は、キャビネット３に対して取外し，取付け可能になっている。たとえば、上部の加熱調理機器１１はトースターで、下部の加熱調理機器１１は炊飯器である。
排気口２２を覆う排気口カバー２４は着脱可能に取付けられているので、点検や清掃などの作業が容易である。
【００２４】
コンロキャビネット７において、コンロ１０の下方には、コンロキャビネット７に形成された複数（ここでは、二つ）の収納部４０が設けられている。収納部４０は前方に開口しているので、各加熱調理機器１１を、コンロキャビネット７の前方から各収納部４０に装着して組込むことができる。この組込みが完了した状態で、各加熱調理機器１１と排気口２２は、収納部４０の後方に設けられた排気路２３を介して連通する。
このシステムキッチン１ａでは、コンロ１０の下方に、ユーザーの好みに応じて異種または同種の複数の加熱調理機器１１を組込むことができる。
また、長年の使用によって寿命が来たり汚れたりした加熱調理機器１１のみを選択して、個別に新しい加熱調理機器に容易に交換することができる。この場合、まだ使用可能な他の加熱調理機器１１やコンロ１０は取替えずそのまま使用することができるので、無駄にならずに経済的である。
【００２５】
図６，図７に示す第２の変形例にかかるシステムキッチン１ｂでは、排気口カバー２４が上下に移動可能になっている。システムキッチン１ｂにおける排出手段２０ａは、排気口２２を開閉可能に覆う排気口カバー２４と、排気口カバー２４を上下に移動させて排気口２２を開閉するための排気口カバー移動手段５０とを、さらに備えている。
排気口カバー２４には貫通孔は形成されていないので、排気口カバー２４が下方に移動すると、排気口２２は閉じられることになり、異物や液体などが排気口２２内に入るのを防止することができる。
加熱調理機器１１を使用するときは、駆動された排気口カバー移動手段５０で排気口カバー２４を上方に移動させて、排気口２２を開くようになっている。排気口カバー２４が上方に移動すると排気口２２が露出する。したがって、キャビネット３に組込まれた加熱調理機器１１で調理の際に発生する煙や水蒸気Ｂを、排気口２２から小さい圧力損失で良好に排出することができる。
【００２６】
加熱調理機器１１を使用するときには、排気口カバー２４は、上方に位置した状態で排気口２２を覆っている。このとき、排気口２２と排気口カバー２４との間には横方向に開口が形成されるが、異物は、排気口カバー２４が邪魔になって排気口２２に直接入り難い。また、加熱調理機器１１を使用しないときには、排気口カバー２４が下方に位置して排気口２２を塞いでいる。
したがって、加熱調理機器１１の使用時，非使用時のいずれの場合も、排気口２２に異物が入るのを防止することができる。
すなわち、加熱調理機器１１の使用時にのみ排気口カバー２４を持ち上げて、排気口２２の上部に横方向に開口を形成するようにしたので、異物が、排気口２２上部の横方向の開口から排気口２２に入り難くなり、排気路２３内への異物の侵入を防止することができる。
【００２７】
排気口カバー移動手段５０は、排気路２３の所定位置に配置された駆動部５１と、駆動部５１に駆動されて上下動する支持部材５２とを有している。支持部材５２の上端部には、排気口カバー２４が取付けられてこれを支持している。
駆動部５１は、加熱調理機器１１が発生する熱に基づくその内部温度の上昇により駆動されるか、または、ユーザーによる加熱調理機器１１のスイッチのオン操作に連動して駆動されるようになっている。駆動部５１が駆動されると、支持部材５２を介して排気口カバー２４が上昇し、排気口２２は、図７（Ａ）に示す閉状態から、図７（Ｂ）に示す開状態に変化する。
加熱調理機器１１を使用するときに、この加熱調理機器１１の内部の温度上昇またはそのスイッチのオン操作に連動して駆動部５１が駆動され、駆動部５１は、排気口カバー２４を持ち上げて排気口２２を開状態にする。これにより、調理の際に加熱調理機器１１で発生する煙や水蒸気Ｂは、自然対流により排気路２３を通って排気口２２から外方に排出される。
【００２８】
図８に示す第３の変形例にかかるシステムキッチン１ｃは、第１の変形例と第２の変形例の各特徴を組み合わせた構成を有している。すなわち、システムキッチン１ｃにおいて、コンロ１０の下方には、異種または同種の複数（ここでは、二つ）の加熱調理機器１１が組込まれており、また、排気口カバー２４が上下に移動可能になっている。
各加熱調理機器１１と排気口２２は、排気路２３を介して連通しており、各加熱調理機器１１は、キャビネット３に対して取外し，取付け可能になっている。コンロキャビネット７において、コンロ１０の下方には、コンロキャビネット７に形成された複数（ここでは、二つ）の収納部が設けられている。
収納部は前方に開口しているので、各加熱調理機器１１を、コンロキャビネット７の前方から各収納部に装着して組込むことができる。この組込みが完了した状態で、各加熱調理機器１１と排気口２２は、収納部４０の後方に設けられた排気路２３を介して連通する。
【００２９】
このシステムキッチン１ｃでは、コンロ１０の下方に、ユーザーの好みに応じて異種または同種の複数の加熱調理機器１１を組込むことができる。
また、長年の使用によって寿命が来たり汚れたりした加熱調理機器１１のみを選択して、個別に新しい加熱調理機器に容易に交換することができる。この場合、まだ使用可能な他の加熱調理機器１１やコンロ１０は取替えずそのまま使用できるので、無駄にならずに経済的である。
システムキッチン１ｃにおける排出手段２０ａは、第２の変形例における排出手段２０ａと同じ構成を有しており、同じ作用効果を奏する。
【００３０】
図４ないし図８に示す各変形例においても、前記実施例と同じ作用効果を奏する。
以上、本発明の実施例（複数の変形例を含む。以下同じ）を説明したが、本発明は上述の実施例に限定されるものではなく、本発明の要旨の範囲で種々の変形，付加などが可能である。
なお、各図中同一符号は同一または相当部分を示す。
【産業上の利用可能性】
【００３１】
本発明は、台所に設置されるキッチン（たとえば、複合厨房家具の一種であるシステムキッチン）などの厨房家具に適用可能である。
【図面の簡単な説明】
【００３２】
【図１】図１ないし図３は本発明の一実施例を示す図で、図１は、システムキッチンを含む斜視図である。
【図２】図１の側面断面図である。
【図３】前記システムキッチンの一部を示す側面断面図である。
【図４】第１の変形例にかかるシステムキッチンを含む斜視図で、図１相当図である。
【図５】図４の側面断面図である。
【図６】第２の変形例にかかるシステムキッチンを含む斜視図で、図１相当図である。
【図７】図６に示すシステムキッチンの一部を示す側面断面図で、図７（Ａ），（Ｂ）は、排気口カバーによる閉状態，開状態をそれぞれ示している。
【図８】第３の変形例にかかるシステムキッチンの側面断面図である。
【符号の説明】
【００３３】
１，１ａ，１ｂ，１ｃ  システムキッチン（厨房家具）
３    キャビネット
１０  コンロ
１１  オーブンレンジ（加熱調理機器）
２０，２０ａ  排出手段
２１  コンロの天板
２２  排気口
２３  排気路
２４  排気口カバー
２５  キャビネットの天板
２９  前面
５０  排気口カバー移動手段
Ｂ    煙や水蒸気
【図１】
2007020697.tif 000003
【図２】
2007020697.tif 000004
【図３】
2007020697.tif 000005
【図４】
2007020697.tif 000006
【図５】
2007020697.tif 000007
【図６】
2007020697.tif 000008
【図７】
2007020697.tif 000009
【図８】
2007020697.tif 000010